(57)【要約】      （修正有）【課題】短時間で仮設電柱の設置が可能で設置スペースが狭くても設置可能ではしごの立て掛けも容易に行うことができる仮設電柱の支持装置を提供する。【解決手段】既設電柱からの引き出し電源線に接続して工事用電源として使用する電源線が設けられるとともに下端部が地中に埋設される仮設電柱１が倒れるのを防止する仮設電柱の支持装置であり、仮設電柱の支持装置は、仮設電柱の外側面に当接される基台２ａと、仮設電柱に支持装置を取付ける取付具３ａ、３ｂと、仮設電柱の非地中埋設部から側方に突出して取り付けられて下面が地面と接する１本の接地部２ｂとから仮設電柱の支持装置を構成する。【選択図】図１
0003195789.tif 000002
【実用新案登録請求の範囲】
【請求項１】
既設電柱からの引き出し電源線に接続して工事用電源として使用する電源線が設けられるとともに下端部が地中に埋設される仮設電柱が倒れるのを防止する仮設電柱の支持装置であり、仮設電柱の支持装置は、前記仮設電柱の外側面に当接される基台と、前記仮設電柱に前記支持装置を取付ける取付具と、前記仮設電柱の非地中埋設部から側方に突出して取り付けられて下面が地面と接する１本の接地部材とからなることを特徴とする仮設電柱の支持装置。
【請求項２】
前記接地部材には、倒れ防止補助固定具が設けられている請求項１に記載の仮設電柱の支持装置。
【請求項３】
仮設電柱と接地部材との間には張り調整手段が架設されている請求項１又は請求項２のいずれか１項に記載の仮設電柱の支持装置。
【請求項４】
前記張り調整手段は、前記仮設電柱に一端が支持された第１のステーと、前記接地部材に一端が支持された第２のステーと、前記第１のステーと前記第２のステーの自由端に螺合して前記第１のステーと前記第２のステーの長さを調整するターンバックルとからなる請求項３に記載の仮設電柱の支持装置。
【考案の詳細な説明】
【技術分野】
【０００１】  本考案は、建物の建設工事や道路工事などの工事において、既設電柱の近傍に仮設立設して前記電柱からの引き出し線を接続し、前記工事の工事用電源として使用する仮設電柱が倒れないように安全に設置する仮設電柱の支持装置に関するものである。
【背景技術】
【０００２】  従来の仮設電柱を設置する方法は、地面に掘った穴に仮設電柱の下端部を７０センチメートル程度埋め込むのみであり、仮設電柱に既設電柱からの引き出し線を引き込む工事をする際、はしごを仮設電柱に掛けて工事をすると、人とはしごの重さに耐えきれなくなり、仮設電柱が倒れるという問題点があった。【０００３】  これらの問題点を解消するために提案された特許文献１に示す仮設電源柱装置は、４本の接地部材がそれぞれ９０度の離れた方向に放射状に設置され、設置スペースが四方向に必要であり、はしごを立て掛けるスペースが無いという問題点があった。
【先行技術文献】
【特許文献】
【０００４】
【特許文献１】  特開２００２−１１８９４０号公報
【考案の概要】
【考案が解決しようとする課題】
【０００５】  本考案は上記の従来課題を解決するものであり、短時間で仮設電柱の設置が可能で設置スペースが狭くても設置可能ではしごの立て掛けも容易に行うことができる仮設電柱の支持装置を提供するものである。
【課題を解決するための手段】
【０００６】  上記課題を解決するため本考案の仮設電柱の支持装置は、既設電柱からの引き出し電源線に接続して工事用電源として使用する電源線が設けられるとともに下端部が地中に埋設される仮設電柱が倒れるのを防止する仮設電柱の支持装置であり、仮設電柱の支持装置は、前記仮設電柱の外側面に当接される基台と、前記仮設電柱に前記支持装置を取付ける取付具と、前記仮設電柱の非地中埋設部から側方に突出して取り付けられて下面が地面と接する１本の接地部材とからなることを特徴とする。
又、本考案にあっては、前記接地部材には、倒れ防止補助固定具が設けられていることが好ましい。
又、本考案にあっては、仮設電柱と接地部材との間には張り調整手段が架設されていることが好ましい。
又、本考案にあっては、前記張り調整手段は、前記仮設電柱に一端が支持された第１のステーと、前記接地部材に一端が支持された第２のステーと、前記第１のステーと前記第２のステーの自由端に螺合して前記第１のステーと前記第２のステーの長さを調整するターンバックルとからなっていることが好ましい。
【考案の効果】
【０００７】  本考案の仮設電柱の支持装置は、既設電柱からの引き出し電源線に接続して工事用電源として使用する電源線が設けられるとともに下端部が地中に埋設される仮設電柱が倒れるのを防止する仮設電柱の支持装置であり、仮設電柱の支持装置は、前記仮設電柱の外側面に当接される基台と、前記仮設電柱に前記支持装置を取付ける取付具と、前記仮設電柱の非地中埋設部から側方に突出して取り付けられて下面が地面と接する１本の接地部材とからなることを特徴とするものであるから、スペースが狭い場所であっても簡単に仮設電柱を施工できるとともに、はしごを掛けても倒れることが無く安全に既設電柱からの引き出し電源線に接続して工事用電源として使用することができるという効果がある。【０００８】  又、請求項２のように、前記接地部材には、倒れ防止補助固定具が設けられているものは、仮設電柱設置期間中に倒壊等の事故を防止する効果がある。
又、請求項３のように、仮設電柱と接地部材との間には張り調整手段が架設されているものは、接地部材の張り状態を調整することができ最適な状態で使用することができる効果がある。
【図面の簡単な説明】
【０００９】
【図１】図１は、本考案の仮設電柱支持装置の実施形態を示す斜視図である。
【図２】図２は、同上の仮設電柱支持装置を使用し、仮設電柱を設置した図である。
【考案を実施するための形態】
【００１０】  以下、本考案の実施の形態を図１及び図２に基づいて詳述すると、仮設電柱１の支持装置２は、既設電柱からの引込電源線１１に接続して工事用電源として使用する電源線１０を介して電源ボックス９が設けられるとともに下端部が地中に埋設される仮設電柱１が倒れるのを防止する仮設電柱１の支持装置２であり、仮設電柱１の支持装置２は、仮設電柱１の外側面に当接される基台２ａと、仮設電柱１に支持装置２を取付ける取付具３と、取付具３を仮設電柱１に取り付ける取付ボルト８、仮設電柱１の非地中埋設部から側方に突出して取り付けられて下面が地面と接する接地部２ｂを固定する１本の倒壊防止補助固定棒７、支持装置２の張り具合を調整する張り調整金具（ターンバックル）４、張り調整金具（ターンバックル）４を地面に固定する１本の張り調整具固定棒６、支持装置２の非地中埋設部から側方に突出して取り付けられている接地部２ｂの破損を防ぐ補強板５から構成されている。
【００１１】支持装置２の基台２ａは、スチール製でできており、仮設電柱１の外側面に当接されるように内面は円弧状に形成されている。
【００１２】  取付具３は、支持装置２の基台２ａに溶接されるスチール製の取付金具３ａと、取付金具３ｂを仮設電柱１に固定する取付ボルト８とで構成されており、少なくとも２箇所設けられている。
【００１３】  接地部材２ｂは、スチール製でできており、基台２ａに溶接されている。基台２ａには張り調整具固定棒６と倒壊防止補助固定棒７が挿入される開口部が形成されている。
【００１４】  張り調整具固定棒６は、スチール製で市販アンカーを利用している。張り調整金具４は市販のターンバックルを使用しており、接合は張り調整具固定棒６の丸い輪の部分に引っかけて接合されている。
【００１５】  倒壊防止補助固定棒７は、スチール製で市販アンカーを利用しており、支持装置２及び、取り付けた仮設電柱１の倒れ防止の補助の役割となっている。
【００１６】  支持装置２は、スチール製で非地中埋設部から側方に突出している部分の根元を溶接し接合している。また、補強板５は支持装置２が非地中埋設部から側方に突出している部分の破損を防ぐために溶接にて接合している。
【符号の説明】
【００１７】１    仮設電柱
２    仮設電柱支持装置
２ａ  基台
２ｂ  接地部
３    取付固定金具
３ａ  取付固定金具（２ａ基台に溶接済み）
３ｂ  取付固定金具
４    張り調整金具（ターンバックル）
５    補強板
６    張り調整具固定棒
７    倒壊防止補助固定棒
８    固定金具取付ボルト
９    電源ボックス
１０  電源線
１１  引込電源線
【図１】
0003195789.tif 000003
【図２】
0003195789.tif 000004